(57)【要約】【課題】  ルーバの回動角度、特に停止時の回動角度を揃えて、外観性を向上させる一方、ルーバを成型する金型を単一の金型で行えるようにして、コスト低減を行える吹出グリルユニットを提供することを目的とする。【解決手段】  上下風向ルーバ４ａ〜４ｄの左側端面に装着された左側支持部１４は、中央前部に軸受孔１４ｂを穿設した基体１４ａからなり、後方下部にリンク部材１６の軸受孔１６ａに挿入されるピン１４ｄが設けられている。また、ピン１４ｄの近傍には、矩形状に形成されたストッパ１４ｇが突設されている。リンク部材１６が上方に移動すると、左側支持部１４は回動し、上下方向ルーバ４ａ〜４ｄが吹出口１ａを閉鎖するが、その際、ストッパ１４ｇの一辺が、リンク部材１６の当接部１６ｂに当接して左側支持部１４の回動を規制する一方、上段の左側支持部１４の爪受部１４ｅが、下段の左側支持部１４の爪部１４ｆに当接して互いに回動を規制する。【選択図】図６
2012032116.tif 000002
【特許請求の範囲】
【請求項１】
枠体からなる本体に吸込口と吹出口とを備え、前記吹出口に、上下風向ルーバユニットを設けてなる吹出グリル装置において、
前記上下風向ルーバユニットは、前記枠体に支持される左右一対のルーバ支持板と、羽根部と同羽根部の両端に設けられる支持部を有し、前記ルーバ支持板に回動自在に軸支されるとともに、上下方向に複数配設された複数の上下方向ルーバと、いずれか一方の前記支持部に配置され上下方向に揺動するリンク部材とからなり、
前記一方の支持部に爪部と爪受部とストッパとを設け、同一方の支持部が前記リンク部材に連結されて回動する一方、前記リンク部材に前記ストッパが当接する当接部を設け、
前記当接部が最下段に位置する支持部のストッパに当接して、同支持部が設けられた上下方向ルーバの回動を規制する一方、下段側の支持部の前記爪受部が上段側の支持部の前記爪部に当接することにより、各段の上下方向ルーバの回動を規制しながら、同上下方向ルーバが前記吹出口を閉鎖してなることを特徴とする吹出グリル装置。
【請求項２】
前記上下風向ルーバの羽根部中央裏面に、軸受孔を穿設した中央支持部を取付け、前記本体の底面に支持脚を立設するとともに同支持脚に前記軸受孔に挿入される支軸を備えた複数のアームを延出させたことを特徴とする請求項１に記載の吹出グリル装置。
【発明の詳細な説明】
【技術分野】
【０００１】
本発明は、室内の壁面に設置される吹出グリル装置に関わり、より詳細には、上下風向板の開閉駆動機構の構成に関するものである。
【背景技術】
【０００２】
従来の空気調和機及び吹出グリル装置に用いられる風向板ユニットは、例えば図９（Ａ）で示す風向板ユニット３０のように、上下端に支持ピン３２ａを突設した主左右方向ルーバ３２と、上下端に支持ピン３３ａを突設した複数の副左右方向ルーバ３３と、下端の支持ピン３２ａ及び支持ピン３３ａを軸支する支持孔３１ａを複数穿設した基台３１と、上端の支持ピン３２ａ及び支持ピン３３ａを軸支する天板（図示せず）と、主左右方向ルーバ３２及び複数の副左右方向ルーバ３３を連結するリンク部材３４と、天板に設けられる駆動モータ３５と、同駆動モータ３５の回転軸に一端を接続されるクランク材３６と、同クランク材３６に一端を回動自在に軸支された駆動部材３７とからなり、主左右方向ルーバ３２の上部には、駆動部材３７の他端に突設されたピン３７ａが挿入される挿入孔３２ｆを穿設した接合片３２ｅが形成されている。
【０００３】
上記したように、主左右方向ルーバ３２の支持ピン３２ａ及び複数の副左右方向ルーバ３３の支持ピン３３ａが基台３１と天板とに軸支されることにより、主左右方向ルーバ３２及び複数の副左右方向ルーバ３３は左右方向に回動自在となっている。また、主左右方向ルーバ３２の前縁下部にはピン３２ｄを突設した突片３２ｃが形成され、同様に、副左右方向ルーバ３３の前縁下部にも、ピン３３ｄを突設した突片３３ｃが形成されており、これらのピン３２ｄ及びピン３３ｄをリンク部材３４に穿設された複数のピン孔３４ａに挿入させることにより、主左右方向ルーバ３２及び複数の副左右方向ルーバ３３はリンク部材３４により連結され、左右方向に同一角度で回動するようになっている。
【０００４】
また、駆動モータ３５に一端を接続されるクランク３６の他端が駆動部材３７に接続され、同駆動部材３７の他端に突設されたピン３７ａが、主左右方向ルーバ３２に形成された接合片３２ｅの挿入孔３２ｆに挿入されることにより、駆動モータ３５の駆動力に追従して、主左右方向ルーバ３２及び複数の副左右方向ルーバ３３が左右方向に回動されるようになっている。
【０００５】
主左右方向ルーバ３２の突片３２ｃの下方には、図９（Ｂ）に示すように、水平方向に延出された係止片３２ｇが形成され、基台３１の上面には係止片３２ｇが係止するストッパ３８が設けられている。主左右方向ルーバ３２及び複数の副左右方向ルーバ３３が駆動モータ３５の駆動により左右方向に回動しても、係止片３２ｇがストッパ３８に当接すると主左右方向ルーバ３２及びこれに連結された複数の副左右方向ルーバ３３の回動が停止するようになっている。
【０００６】
しかしながら、主左右方向ルーバ３２と複数の副左右方向ルーバ３３はリンク部材３４により連結され、主左右方向ルーバ３２のピン３２ｄはリンク部材３４のピン孔３４ａに、ある程度の公差を有して遊嵌されている関係上、主左右方向ルーバ３２と複数の副左右方向ルーバ３３の角度は正確に揃わず、特に、停止時等において回動角度にバラツキが発生して外観性に不具合を生じていた。また、係止片３２ｇを主左右方向ルーバ３２に設け、同係止片３２ｇが係止するストッパ３８を基台３１に設けることにより、機種変更等の場合、主左右方向ルーバ３２及び係止片３２ｇを設けていない副左右方向ルーバ３３を常に組み合わせて構成する必要があり、これらの金型の構成が複雑になるという問題があった。また、基台３１にストッパ３８を切り起こし、あるいは溶接等により設ける必要があり構成が複雑となるとともに、別途に金型が必要となる場合もあり、生産コストが上昇するというような問題があった。
【０００７】
また、他の従来例として、図示はしていないが、リンク部材により連結された複数の上下方向ルーバを、機器の吹出口に上下方向に複数配設し、上下方向ルーバで吹出口を閉鎖する際、夫々の上下風向ルーバの上下端を当接させて相互に回動を規制する技術もあるが、最上段あるいは最下段に位置する上下方向ルーバに関しては、これの回動を規制するストッパを機器内に別途設ける必要があり、上記した従来例と同様に、構成が複雑となるとともに、機種変更等の際、別途に金型が必要となる場合もあり、生産コストが上昇するというような問題があった。
【先行技術文献】
【特許文献】
【０００８】
【特許文献１】特開昭５４−１３３７４４号（２頁、図１）
【発明の概要】
【発明が解決しようとする課題】
【０００９】
本発明は、上記問題点に鑑み、運転停止時にルーバで吹出口を閉鎖する際、ルーバの回動角度のバラツキによりルーバ間に隙間が発生することを防止して、外観性を向上させる一方、機種変更等の際、ルーバ等の金型の変更あるいは別途の製作を不要にしてコスト低減を行える吹出グリル装置を提供することを目的とする。
【課題を解決するための手段】
【００１０】
本発明は、上記課題を解決するため、枠体からなる本体に吸込口と吹出口とを備え、前記吹出口に、上下風向ルーバユニットを設けてなる吹出グリル装置において、前記上下風向ルーバユニットは、前記枠体に支持される左右一対のルーバ支持板と、羽根部と同羽根部の両端に設けられる支持部を有し、前記ルーバ支持板に回動自在に軸支されるとともに、上下方向に複数配設された複数の上下方向ルーバと、いずれか一方の前記支持部に配置され上下方向に揺動するリンク部材とからなり、前記一方の支持部に爪部と爪受部とストッパとを設け、同一方の支持部が前記リンク部材に連結されて回動する一方、前記リンク部材に前記ストッパが当接する当接部を設け、
前記当接部が最下段に位置する支持部のストッパに当接して、同支持部が設けられた上下方向ルーバの回動を規制する一方、下段側の支持部の前記爪受部が上段側の支持部の前記爪部に当接することにより、各段の上下方向ルーバの回動を規制しながら、同上下方向ルーバが前記吹出口を閉鎖してなる構成となっている。
【００１１】
また、前記上下風向ルーバの羽根部中央裏面に、軸受孔を穿設した中央支持部を取付け、前記本体の底面に支持脚を立設するとともに同支持脚に前記軸受孔に挿入される支軸を備えた複数のアームを延出させた構成となっている。
【発明の効果】
【００１２】
請求項１の発明によれば、吹出グリル装置の停止時に、複数の上下方向ルーバで吹出口を閉鎖しようとした際、夫々の上下方向ルーバ間に隙間が生じることなく吹出口を閉鎖することができ、外観性が向上するようになっている。また、ストッパが支持部に形成されることにより、枠体や基台にストッパを設けた場合に比較して構成が簡素となり、加工も容易となっている。また、上下方向ルーバ及び支持部を成型する金型が各々１種類で済み、機種変更等により上下方向ルーバの個数が増減しても、金型の変更あるいは別途に金型を必要とせず、コストを低減できるようになっている。
【００１３】
請求項２の発明によれば、上下方向ルーバの羽根部中央裏面に中央支持部を設け、支持脚のアームにより中央支持部を回動自在に軸支することにより、上下方向ルーバが自重により撓んだり、送風の影響により振動を発生させてしまう等の不具合を防止できるようになっている。
【図面の簡単な説明】
【００１４】
【図１】本発明による吹出グリル装置の外観斜視図である。
【図２】本発明による吹出グリル装置の分解斜視図である。
【図３】左右風向板ユニットを示す斜視図である。
【図４】上下風向ルーバユニットの背面左側からの斜視図である。
【図５】上下風向ルーバが開いた状態を示す説明図である。
【図６】上下風向ルーバユニットの背面右側からの斜視図である。
【図７】上下風向ルーバが閉じた状態を示す説明図である。
【図８】上下風向ルーバの個数を変更した状態を示す説明図である。
【図９】従来の風向板ユニットを示す斜視図である。
【発明を実施するための形態】
【００１５】
以下、本発明の実施の形態を、添付図面に基づいた実施例として詳細に説明する。
【実施例１】
【００１６】
本発明による吹出グリル装置１は、図１の外観斜視図で示すように、前面に枠体状に形成された前縁グリル２を設け、同前縁グリル２により形成された吹出口１ａに臨んで、上下方向ルーバユニット４を設けている。同上下方向ルーバユニット４は、複数の上下方向ルーバ４ａ〜４ｄからなり、これらは上下方向に回動して吹出口１ａから吹出される空気を上下方向に偏向するようになっている。
【００１７】
前縁グリル２の後方は、前後面が開放された枠体状のフレームユニット３となっており、開放された後面からなる吸込口から吸込まれた空気を、後述する左右方向ルーバユニット９及び上記した上下方向ルーバユニット４により、左右方向及び上下方向に偏向して吹出口１ａから吹出すようになっており、上記した前縁グリル２とフレームユニット３とで吹出グリル装置１の本体が構成されている。
【００１８】
吹出グリル装置１は、図示はしていないが、室内の壁面に開口された開口部に、前縁グリル２を室内に露出させながらフレームユニット３を壁内に埋め込むようにして設置され、開放された後面には、図示しないダクト型空気調和機から延設された吹出ダクトが接続されるようになっている。
【００１９】
前縁グリル２は、図２の分解斜視図で示すように、上部グリル２ａと下部グリル２ｂ及び右側グリル２ｃと左側グリル２ｄとを夫々接合させて構成され、フレームユニット３は、天板５と底板６と右側板７と左側板８とを夫々接合させて枠体状に形成されている。右側板７の内側には、駆動モータを組み込んだギアボックス１０が設けられ、また、底板６上には、複数の左右方向ルーバ１１からなる左右方向ルーバユニット９が設けられ、同左右方向ルーバユニット９の前面には、左右一対の左側ルーバ支持板１７及び右側ルーバ支持板１９に軸支された複数の上下方向ルーバ４ａ〜４ｄからなる上下方向ルーバユニット４が設けられている。
【００２０】
左右方向ルーバユニット９を構成する左右方向ルーバ１１は上端面に後述する支軸１１ａを突設させるとともに、図示はしていないが、下端面に支軸を突設させており、上端面の支軸１１ａを天板５に穿設された図示しない軸受孔に挿入し、下端面の支軸を底板６に穿設された軸受孔（図示せず）に挿入させることにより、左右方向に回動自在となっている。
【００２１】
左右方向ルーバユニット９は、図３に示すように、第一ブロック９ａ、第二ブロック９ｂ、第三ブロック９ｃ及び第四ブロック９ｄとに分割され、夫々のブロックに属する左右方向ルーバ１１は、Ｔ字状に形成されたレバー９ｅにより連結されている。複数のレバー９ｅを、手動により左右方向に揺動すると、同レバー９ｅに連結された複数の左右方向ルーバ１１が夫々回動するようになっている。
【００２２】
次に、上下方向ルーバユニット４の構成について説明する。図４及び図５で示す斜視図は、底板６上から左右方向ルーバユニット９を外した状態を示しており、上下方向ルーバ４ａ〜４ｄは、羽根部と、同羽根部の両側に設けられた後述する左側支持部１４及び右側支持部１８とからなっている。底板６上の前面中央には複数のアーム１２ａを前面側に延出した支持脚１２が立設され、上下方向ルーバ４ａ〜４ｄの羽根部裏面には、軸受孔（図示せず）を穿設した中央支持部１３が取付けられ、支持脚１２のアーム１２ａの先端部側面に突設された支軸１２ｂが中央支持部１３の軸受孔に挿入されることにより、上下方向ルーバ４ａ〜４ｄの中央部は回動自在に支持されるようになっている。
【００２３】
上下方向ルーバ４ａ〜４ｄの中央部裏面に中央支持部１３を設け、支持脚１２のアーム１２ａにより中央ブロック１３を回動自在に軸支することにより、上下方向ルーバ４ａ〜４ｄが自重により撓んだり、送風の影響により振動を発生させてしまう等の不具合を防止できるようになっている。
【００２４】
上下方向ルーバ４ａ〜４ｄの羽根部左側端面には、背面右側から見た図４（Ａ）で示すように、軸受孔１４ｂを穿設した略台形状の左側支持部１４が羽根部と直交するように夫々取付けられ、図４（Ｂ）の上方からの断面図でも示すように、同左側支持部１４の外側面には、支持ピン１５ａを突設させた縦長状の支持板１５が、上記した左側ルーバ支持板１９に固着されている。支持板１５の支持ピン１５ａが左側支持部１４の軸受孔１４ｂに夫々挿入されることにより、上下方向ルーバ４ａ〜４ｄの左端部は回動自在に軸支されるようになっている。
【００２５】
また、左側支持部１４の外側面後部となるＡ部には、図４（Ｂ）の上方からの要部断面図で示すように、ピン１４ｄが夫々突設されており、同ピン１４ｄは、図５（Ａ）でも示すように、縦長状に形成されたリンク部材１６の軸受孔１６ａに夫々挿入されている。リンク部材１６は、ギアボックス１０から延設されたリンクバー（図示せず）により上下方向に揺動するようになっており、同リンク部材１６の前縁下端部には、図５（Ｃ）の要部拡大図に示すように、前方に膨出した当接部１６ｂが形成されており、上下方向ルーバ４ａ〜４ｄが水平状態では、後述するストッパ１４ｇと当接部１６ｂとの間には隙間ｈが生じるようになっている。
【００２６】
左側支持部１４は、図５（Ａ）に示すように、略台形状に形成され前部に軸受孔１４ｂを穿設した基体１４ａからなり、後方下部には、上述したように、リンク部材１６の軸受孔１６ａに挿入されるピン１４ｄが設けられている。また、上部前面と上部後面には、前方に突出した爪部１４ｅと、後方に突出した爪受部１４ｆとを形成し、上部中央部には、羽根部端面に螺子止する為の螺子孔１４ｃが穿設されている。また、ピン１４ｄの近傍には、Ｌ字状に形成されたストッパ１４ｇが突設されている。これにより、枠体や基台にストッパを設ける必要がなく、構成を簡素化できるようになっている。尚、点線部は羽根部下端を示している。
【００２７】
左側支持部１４のピン１４ｄが軸受孔１６ａに挿入されたリンク部材１６が、図５（Ａ）に示すように、下方に移動すると、夫々の左側支持部１４は、軸受孔１４ｂを中心として矢印で示す方向に回動し、これにより、図５（Ｂ）の斜視図でも示すように、上下方向ルーバ４ａ〜４ｄの羽根部が水平方向に回動し、吹出口１ａから冷暖風が吹出されるようになっている。
【００２８】
上下方向ルーバ４ａ〜４ｄの右側端面には、背面左側から見た図６で示すように、軸受孔１８ａを穿設した略台形状の右側支持部１８が羽根部と直交するように夫々装着されており、右側支持板１７から突設された軸（図示せず）が軸受孔１８ａに挿入されることにより、上下方向ルーバ４ａ〜４ｄの右端部は回動自在に軸支されるようになっている。
【００２９】
次に、上下方向ルーバ４ａ〜４ｄが吹出口１ａを閉鎖する場合について説明する。図７（Ａ）に示すように、リンク部材１６が上方に移動すると、左側支持部１４は矢印で示す方向に回動するようになっており、同左側支持部１４が取付られた上下方向ルーバ４ａ〜４ｄの羽根部は、夫々回動し、吹出口１ａを閉鎖するようになっている。この際、夫々の上下方向ルーバ４ａ〜４ｄは
リンク部材１６の動作に従い、所定角度位置で停止するようになっているが、リンク部材１６への取付ガタ、あるいは部材の寸法公差等により停止角度にバラツキが生じる。
【００３０】
停止角度にバラツキが生じた際、まず、最下段に位置する左側支持部１４のストッパ１４ｇが、図７（Ｄ）の要部拡大図に示すように、リンク部材１６の前縁下端部に形成された当接部１６ｂに当接して、最下段に位置する上下方向ルーバ４ｄを所定停止角度に正確に停止させるようになっている。この際、上段に位置するストッパ１４ｇと、リンク部材１６の前縁との間には隙間ｈが生じるようになっている。
【００３１】
また、図７（Ｃ）の要部拡大図に示すように、最下段に位置する上下方向ルーバ４ｄを形成する左側支持部１４の爪受部１４ｆに設けられた当接部１４１ｆと、上段に位置する左側支持部１４の爪部１４ｅの当接部１４１ｅとを当接させることにより、上段に位置する左側支持部１４及びこれに連結された羽根部の回動を規制して、上段に位置する上下方向ルーバ４ｃを所定角度で正確に停止させるようになっている。これが下段側の左側支持部１４から上段側の左側支持部１４に対して連鎖的に行われることにより、上下方向ルーバ４ａ、４ｂ、４ｃ及び４ｄが所定角度で正確に停止するとともに、図７（Ｂ）の斜視図でも示すように、上下方向ルーバ４ａ〜４ｄの停止角度が揃うようになり外観性、意匠性が向上するようになっている。
【００３２】
ギアボックス１０から延設されたリンクバーにより上下方向に揺動するリンク部材１６は、部品の寸法公差の累積や、ギアのバックラッシュ等の影響により上下可動範囲に誤差を生じ、特に、停止位置に誤差が生じると、上下方向ルーバ４ａ〜４ｄが所定停止角度で停止せず、所謂廻り過ぎを生じて上下方向ルーバ４ａ〜４ｄ間に隙間が発生する虞があるが、最下段に位置する左側支持部１４のストッパ１４ｇが、リンク部材１６の当接部１６ｂに当接して左側支持部１４の回動が規制されることにより、上下方向ルーバ４ｄが所定角度で正確に停止し、更に、下段に位置する左側支持部１４の爪受部１４ｆが上段に位置する左側支持部１４の爪部１４ｅに当接して、上段に位置する左側支持部１４の回動を規制し、これが連鎖的に行われることにより、上下方向ルーバ４ａ、４ｂ、４ｃ及び４ｄ間に隙間を生じることなく外観性が向上するようになっている。
【００３３】
また、リンク部材１６の当接部１６ｂに当接するストッパ１４ｇが左側支持部１４に設けられることにより、上下方向ルーバ４ａ〜４ｄ及び左側支持部１４を成型する金型が各々１種類で済み、例えば、図９に示すように、機種変更に伴い上下方向ルーバが３枚で構成されたとしても、上下方向ルーバ４ａ〜４ｄ、左側支持部１４及び底板６等に対して新たな金型を必要とせず、これらを共通して用いることができることにより、機種展開をしてもコストを大幅に削減することができるようになっている。
【符号の説明】
【００３４】
１  吹出グリル装置
１ａ  吹出口
２  前縁グリル
２ａ  上部グリル
２ｂ  下部グリル
２ｃ  右側グリル
２ｄ  左側グリル
３  フレームユニット
４  上下方向ルーバユニット
４ａ〜４ｄ  上下方向ルーバ
５  天板
６  底板
７  右側版
８  左側版
９  左右方向ルーバユニット
９ａ  第一ブロック
９ｂ  第二ブロック
９ｃ  第三ブロック
９ｄ  第四ブロック
９ｅ  レバー
１０  ギアボックス
１１  左右方向ルーバ
１１ａ  支軸
１２  支持脚
１２ａ  アーム
１２ｂ  支軸
１３  中央支持部
１４  左側支持部
１４ａ  基体
１４ｂ  軸受孔
１４ｃ  螺子孔
１４ｄ  ピン
１４ｅ  爪部
１４ｆ  爪受部
１４ｇ  ストッパ
１５  支持板
１５ａ  支持ピン
１６  リンク部材
１６ａ  軸受孔
１６ｂ  当接部
１７  右側支持板
１８  右側支持部
１８ａ  軸受孔
１９  左側支持板
【図９】
2012032116.tif 000003
【図１】
2012032116.tif 000004
【図２】
2012032116.tif 000005
【図３】
2012032116.tif 000006
【図４】
2012032116.tif 000007
【図５】
2012032116.tif 000008
【図６】
2012032116.tif 000009
【図７】
2012032116.tif 000010
【図８】
2012032116.tif 000011